(57)【要約】【課題】  露受皿に結露水及び凝縮水を導びく遮水板を設けても、電子膨張弁やセンサ等から導出された配線を電装品箱に障害なく接続することのできるダクト型空気調和機を提供することを目的とする。【解決手段】  遮水板２０は、遮水部２０ａと導水部２１とからなり、導水部２１は水平部２１ａと斜面部２１ｂと排出口２１ｄを設けた排出部２１ｃとからなり、排出部２１ｃの一側にコ字状に形成された防水カバー２１ｇに囲われて配線通路２１ｆが形成されている。熱交換器１５の側面に配設された電子膨張弁２２及びセンサ２４から導出された配線２２ａ及び配線２４ａは、防水カバー２１ｇに囲われた配線通路２１ｆを介して、電装品箱１９に接続されるようになっている。【選択図】図６
2011185554.tif 000002
【特許請求の範囲】
【請求項１】
吸込部と吹出部とを備えた本体内を仕切板により、送風ファンを収納した送風機室と、熱交換器と露受皿とを収納した熱交換器室とに区画し、前記仕切板に、前記送風ファンを駆動するファンモータを固定し、前記本体に電装品箱を付設してなるダクト型空気調和機において、
前記熱交換器の側面に、遮水部と、同遮水部から滴下した凝縮水を前記露受皿に導びく導水部とからなる遮水板を設けてなり、前記導水部に、前記熱交換器の側面に配置された電子膨張弁やセンサ等の電気部品と前記電装品箱を繋ぐ配線の配線通路を形成したことを特徴とするダクト型空気調和機。
【請求項２】
前記配線通路が、前記導水部の、凝縮水を排出する排出部の一側に形成され、コ字状の防水カバーに覆われていることを特徴とする請求項１に記載のダクト型空気調和機。
【請求項３】
前記導水部の背面にはフック部が設けられ、前記配線通路を通過した配線は前記フック部に固定され、本体内の上部を引き回されて前記電装品箱に接続されてなることを特徴とする請求項１または請求項２に記載のダクト型空気調和機。
【発明の詳細な説明】
【技術分野】
【０００１】
本発明は、ダクト型空気調和機に関わり、より詳細には、筐体内に配置された遮風板、遮水板とセンサ及び電子膨張弁等から導出された配線の関係に関するものである。
【背景技術】
【０００２】
建屋の天井空間内に設置され、熱交換器およびファンを収容して構成された本体に、吹出ダクトを接続したダクト型空気調和機が知られている。本体内は仕切板により送風機室と熱交換器室とに区画され、送風機室には複数の送風ファンと、同送風ファンを駆動するファンモータとが配設され、熱交換器室には、熱交換器と、同熱交換器から滴下する凝縮水を貯留する露受皿とが配設されている。
【０００３】
例えば、従来のダクト型空気調和機３０は、図１０（Ａ）で示すように縦型に配置され、吸込口３４と吹出口３５とを備えた本体内を仕切板３１により送風機室３２と、熱交換器室３３とに区画し、送風機室３２に送風ファン３６を配設し、熱交換器室３３に熱交換器３７と露受皿３８とを配設している。
【０００４】
吸込口３４から吸込まれた空気は、送風ファン３６により熱交換器室３３に送出され、熱交換器３７を通過することにより熱交換され、吹出ダクトが接続された吹出口３５から室内に送出されるようになっている。また、熱交換器３７の表面に凝縮した凝縮水は露受皿３８に滴下するようになっている。
【０００５】
熱交換器室３３は、図１０（Ｂ）に示すように、熱交換器３７の側板３７ａに、熱交換器３７を通過しない空気を遮蔽する遮風機能を備えた支持板３９を取付けており、同支持板３９には本体と固定するための固定片４０が設けられている。同固定片４０の先端下部には、露受皿３８に臨む折曲片４１が形成されており、支持板３９上に結露した結露水は折曲片４１により露受皿３８に導びかれるようになっている。
【０００６】
しかしながら、熱交換器３７の側面には、配管に接続される電子膨張弁や、センサ等が配設され、これらから導出された配線は、図示しない電装品箱に接続されるようになっており、その際、
上記した支持板３９あるいは折曲片４１が配線経路の障害となっていた。
【先行技術文献】
【特許文献】
【０００７】
【特許文献１】実開平１−１６９７２４号（４頁、図１）
【発明の概要】
【発明が解決しようとする課題】
【０００８】
本発明は、上記問題点に鑑み、熱交換器室に遮水板を設けても、電子膨張弁やセンサ等から導出された配線を、他部品に影響を与えることなく電装品箱に引き廻しすることのできるダクト型空気調和機を提供することを目的とする。
【課題を解決するための手段】
【０００９】
本発明は、上記課題を解決するため、吸込部と吹出部とを備えた本体内を仕切板により、送風ファンを収納した送風機室と、熱交換器と露受皿とを収納した熱交換器室とに区画し、前記仕切板に、前記送風ファンを駆動するファンモータを固定し、前記本体に電装品箱を付設してなるダクト型空気調和機において、前記熱交換器の側面に、遮水部と、同遮水部から滴下した凝縮水を前記露受皿に導びく導水部とからなる遮水板を設けてなり、前記導水部に、前記熱交換器の側面に配置された電子膨張弁やセンサ等の電気部品と前記電装品箱を繋ぐ配線の配線通路を形成した構成となっている。
【００１０】
また、前記配線通路が、前記導水部の、凝縮水を排出する排出部の一側に形成され、コ字状の防水カバーに覆われている構成となっている。
【００１１】
また、前記導水部の背面にはフック部が設けられ、前記配線通路を通過した配線は前記フック部に固定され、本体内の上部を引き回されて前記電装品箱に接続されてなる構成となっている。
【発明の効果】
【００１２】
請求項１の発明によれば、電気部品としての電子膨張弁及びセンサから導出された配線は、導水部に形成された配線通路を介して電装品箱に接続されることにより、凝縮水が掛かる虞がなくなる一方、他部品に影響を与えないよう配線処理が施されている。
【００１３】
請求項２の発明によれば、配線通路がコ字状の防水カバーに覆われていることにより、配線の凝縮水からの保護をより高められるようになっている。
【００１４】
請求項３の発明によれば、配線が導水部の配線通路を通りフック部に拘束されて引き回され、本体内の上部を通り電装品箱に接続されることにより、配線が蛇行して他箇所にはみ出し、他部品の配置に障害となるような不具合を防止できるようになっている。
【図面の簡単な説明】
【００１５】
【図１】本発明によるダクト型空気調和機の外観斜視図である。
【図２】本発明によるダクト型空気調和機の断面図である。
【図３】本発明によるダクト型空気調和機において天板を外した状態を示す斜視図である。
【図４】本体の横置設置時と縦置設置時とを示す斜視図である。
【図５】縦置設置時の本体の内部を示す斜視図である。
【図６】電子膨張弁及びセンサの配線状態を示す斜視図である。
【図７】遮水板を示す斜視図である。
【図８】導水部における配線状態を示す斜視図である。
【図９】電子膨張弁及びセンサの配線の引き回しを説明する斜視図である。
【図１０】従来のダクト型空気調和機を示す説明図である。
【発明を実施するための形態】
【００１６】
以下、本発明の実施の形態を、添付図面に基づいた実施例として詳細に説明する。
【実施例】
【００１７】
本発明によるダクト型空気調和機は、図１の斜視図で示すように、天板５と、左側パネル３及び右側パネル４と、吹出ダクトが接続される前面板７とで筐体を構成し、同筐体に、後述する露受皿１６を挿入するとともに、底板２を被着して本体１を構成するようになっている。同本体１の後面は、フィルタ１８が装着された吸込部６となっており、同吸込部６から吸込まれた空気は、後述する熱交換器１５により冷媒と熱交換されて、前面板７に接続された吹出ダクトにより室内に送出されるようになっている。また、本体１の左側パネル３、右側パネル４及び天板５の内側あるいは外側表面には、これらの表面に結露が発生することを防止する断熱材が貼着されており、左側パネル３からは、後述する熱交換器１５に接続される冷媒入出力管１５ｂが導出されている。
【００１８】
左側パネル３の上部にはＬ字状に形成された吊金具３ａが取付けられ、同様に、右側パネル４の上部には吊金具４ａが取付けられており、これら吊金具３ａ及び吊金具４ａは建屋の天井から垂下された吊りボルトに固定されて、本体は建屋の天井と室内の天井面との間に横置状態で吊り下げ設置されるようになっている。また、天板５と底板２の一側には吊金具５ａと吊金具２ａが夫々取付けられ、右側パネル４の一側には上下に吊金具４ｂが取付けられており、これら吊金具５ａ、吊金具２ａ及び吊金具４ｂは本体１の縦置設置時に使用されるようになっている。
【００１９】
本体１内は、図２の断面図で示すように、仕切板８により前後に区画され、区画された一方の吸込部６側には送風機室９が設けられ、区画された他方の前面板７側には熱交換器室１０が設けられている。
【００２０】
送風機室９には、図２の断面図及び図３の斜視図で示すように、送風ファン１１が横方向に複数台設けられている。同送風ファン１１は、吸込口１２ａを両側に備え、吹出部１２ｂの先端部に吹出口１２ｃを開口したケーシング１２と、同ケーシング１２内に回転自在に収納され、吸込口１２ａの両側に回転軸を突出させた回転ブレード１３とからなり、ケーシング１２の吹出部１２ｂは仕切板８に固定されるようになっている。
【００２１】
尚、送風ファン１１はシロッコファンであり、ケーシング１２の両側の吸込口１２ａから吸入した空気を、ブレードを周上に配設した回転ブレード１３の回転により吹出部１２ｂの吹出口１２ｃから熱交換器室１０に送出するようになっている。
【００２２】
送風ファン１１の間には、夫々の送風ファン１１の回転ブレード１３を回転駆動させる、両側に回転軸を突出させたファンモータ１４が設けられている。同ファンモータ１４の回転軸は、両側に位置する送風ファン１１の回転軸に連結される一方、送風ファン１１の回転軸は図示しない連結部材を介して夫々連結されており、これにより、複数の送風ファン１１がファンモータ１４により駆動されるようになっている。
【００２３】
熱交換器室１０には、前面板７から仕切板３に向かって下方に傾斜した熱交換器１５が設けられている。同熱交換器１５は、並列した多数のフィンと、同フィンに直交するように蛇行状に配設された伝熱管とからなり、同伝熱管は上記した冷媒入出力管１５ｂに接続される配管により図示しない室外機に接続されるようになっている。また、熱交換器室１０の底面には、熱交換器１５のフィン表面で凝縮した凝縮水を受ける露受皿１６が設けられている。同露受皿１６は、本体１が横置状態で設置された際、熱交換器１５から滴下する凝縮水を受ける底面１６ｃを有した主底面部１６ａと、本体１が縦置状態で設置された際、熱交換器１５から滴下する凝縮水を受ける底面１６ｄを有した副底面部１６ｂとからなる断面Ｌ字状に形成されている。
【００２４】
前面板７には、図示しない吹出ダクトが接続されるように矩形状の吹出ダクト接続フランジ１７が形成されており、吹出ダクトの一端は、吹出ダクト接続フランジ１７に穿設された複数の螺子孔１７ａと図示しない螺子により本体１に接続される一方、吹出ダクトの他端は、室内天井に設けられた開口部に接続されるようになっている。
【００２５】
本体１の吸込部６から吸込まれた空気は、送風機室９の送風ファン１１により熱交換器室１０に送出され、熱交換器１５で冷媒と熱交換された後、前面板７の吹出ダクト接続口７に接続された吹出ダクトを介して室内に吹出され、室内の冷暖房を行うようになっている。
【００２６】
尚、本体１の吸込部６には、一端を室内の天井面に接続された吸込ダクトが接続される場合があり、必要に応じて使い分けられるようになっている。
【００２７】
また、送風機室９の左側パネル３側には、制御基板１９ａを収納した電装品箱１９が装着され、熱交換器室１０の左側パネル３側には、後述する遮水板２０が設けられている。
【００２８】
本体１は横置設置時、図４（Ａ）に示すように、吊金具３ａ及び吊金具４ａを、建屋の天井面から吊り下げられた複数の吊ボルトに固定されるようになっており、縦置設置時は、図４（Ｂ）に示すように、吹出口と、これを囲む吹出ダクト接続フランジ１７とを備えた前面板７を上方に向け、吊金具４ｂ及び吊金具５ａを、建屋の天井面から吊り下げられた複数の吊ボルトに固定されるようになっている。尚、縦置設置は、建屋の天井面内に設置スペースの余裕がない場合等に利用されるようになっている。
【００２９】
次に、縦置設置時の本体１の内部を図５に示す。熱交換器１５の左側パネル３側には、同熱交換器１５と平行するように、熱交換器１５を通過しない空気を遮蔽する機能を備えた、平板状に形成された遮水板２０が設けられている。また、同遮水板２０の下部には、熱交換器１５の後述する側面の配管部から遮水板２０の遮水部２０ａに滴下する凝縮水を受け、露受皿１６の副底面部１６ｂに形成された底面１６ｄに導びく導水部２１が設けられている。
【００３０】
導水部２１により露受皿１６の底面１６ｄに導びかれた凝縮水は、熱交換器１５から滴下した凝縮水とともに、本体１の左側パネル３から突出された副排出管１６ｆを介して外部に排出されるようになっている。尚、本体１の横置設置時、露受皿１６の主底面部１６ａに形成された底面１６ｃに滴下した凝縮水は、図示しないドレンポンプにより左側パネル３から突出された主排出管１６ｅを介して外部に排出されるようになっている。
【００３１】
熱交換器１５の側面には、図６に示すように、遮水板２０に囲われるように、熱交換器１５に接続される冷媒入出力管１５ｂ、冷媒配管を分岐させるディストリビュータ２３、冷媒の絞り動作を行う電気部品としての電子膨張弁２２及び冷媒の温度及び圧力を検出するセンサ２４等が設けられている。
【００３２】
次に、電子膨張弁２２及びセンサ２４から導出された配線２２ａ及び配線２４ａの処理について説明する。電子膨張弁２２及びセンサ２４から導出された配線２２ａ及び配線２４ａは、図６に示すように、導水部２１の後述する防水カバー２１ｇに囲われた配線通路２１ｆを介して熱交換器１５の側面から本体１内に延出され、本体１の吸込部６側に位置して装着された電装品箱１９に接続されるようになっている。
【００３３】
次に、遮水板２０の遮水部２０ａと導水部２１について説明する。図７（Ａ）に示すように、遮水部２０ａと導水部２１は上下に接合され、上記したように、熱交換器１５側面の配管等から遮水部２０ａに滴下した凝縮水は導水部２１に流れ落ちるようになっている。導水部２１は、配管等から滴下する凝縮水と遮水部２０ａから流れ落ちる凝縮水とを受ける水平部２１ａと、同水平部２１ａに連続して形成され、斜面となった斜面部２１ｂと、同斜面部２１ｂの先端部に、緩く傾斜して形成され、排出口２１ｄを設けた排出部２１ｃとからなっている。
【００３４】
また、排出部２１ｃの一側には、同排出部２１ｃを覆うようにフランジ２１ｅが立設され、他側にはコ字状に形成された防水カバー２１ｇに囲われて配線通路２１ｆが形成されている。防水カバー２１ｇの一部は、フランジ２１ｅに対峙して排出部２１ｃも覆うようになっている。水平部２１ａに流れ落ちた凝縮水は、斜面部２１ｂにより排出部２１ｃに集水され、集水された凝縮水は、フランジ２１ｅと防水カバー２１ｇの一部に囲われた排出口２１ｄから露受皿１６に注がれるようになっている。また、導水部２１の背面には、配線を束ねて固定するフック部２１ｈが形成されている。
【００３５】
遮水部２０ａから、矢印で示すように導水部２１に流れ落ちた凝縮水は、導水部２１の網掛部２６を経路として排出部２１ｃから露受皿１６に注がれるようになっている。これは、遮水板２０が本体１内に配置されると、網掛部２６が最も低い位置になるように設定されていることによる。これにより導水部２１の網掛部２６以外の部位は、殆ど凝縮水が掛かることがなく、このような部位の下部に、防水カバー２１ｇに囲われて配線通路２１ｆを形成することにより、配線２２ａ及び配線２４ａに凝縮水が掛かる虞がなくなるようになっている。
【００３６】
また、配線通路２１ｆは、図７（Ｂ）の拡大図で示すように、防水カバー２１ｇの斜線で示す二辺は、斜面部２１ｂから流れ落ちる凝縮水を遮蔽し、排出口２１ｄに形成された一辺は、同排出口２１ｄから露受皿１６に排出される凝縮水を遮蔽するようになっている。また、防水カバー２１ｇの幅寸法Ｌ１は、配線２２ａ及び配線２４ａを適正に束ねるように設定され、高さ寸法Ｌ２は、配線２２ａ及び配線２４ａを凝縮水から遮蔽するよう充分な高さに設定されている。
【００３７】
導水部２１に形成された配線通路２１ｆを通過した配線２２ａ及び配線２４ａは、図８の導水部２１の裏面側から見た斜視図で示すように、導水部２１の背面に、Ｌ字状に突出して形成されたフック部２１ｈに掛止するようにして束ねられ、続いて、図９に示すように、天板５の裏面に装着された二箇所のクランパ２５を通り、仕切板８側に引き回されるようになっている。仕切板８には図示はしていないが配線挿通孔が穿設されてあり、同配線挿通孔を挿通して配線２２ａ及び配線２４ａは電装品箱１９に接続されるようになっている。
【００３８】
上記したように、電子膨張弁２２及びセンサ２４から導出された配線２２ａ及び配線２４ａが導水部２１に形成された配線通路２１ｆにより引き回され、電装品箱１９に接続されることにより、配線２２ａ及び配線２４ａが蛇行して、熱交換器１５や図示しないドレンポンプの邪魔となるような不具合を防止できるようになっている。
【００３９】
また、電子膨張弁２２から導出された配線２２ａ及びセンサ２４から導出された配線２４ａは、上記した遮水板２０が熱交換器１５の側面を覆うことにより、天板５側を介した配線経路を形成した場合、遮水板２０に滴下する凝縮水により濡れる虞があり、また、遮水板２０を回避して引き廻された場合、熱交換器１５や図示しないドレンポンプに影響を与える虞があるが、上記したように、導水部２１に形成された配線通路２１ｆを介して天板５の裏面側に引き廻され、電装品箱１９に接続されることにより、遮水板２０に滴下する凝縮水が配線２２ａ及び配線２４ａに掛かる虞がなくなる一方、熱交換器１５や図示しないドレンポンプに影響を与えるようなことが防止できるようになっている。また、メンテナンス作業の際、底板２及び露受皿１６を取り外しても、配線２２ａ及び配線２４ａが垂れ下がるような不具合を防ぐことができるようになっている。
【符号の説明】
【００４０】
１  本体
２  底板
２ａ  吊金具
３  左側パネル
３ａ  吊金具
４  右側パネル
４ａ  吊金具
４ｂ  吊金具
５  天板
５ａ  吊金具
６  吸込部
７  前面板
８  仕切板
９  送風機室
１０  熱交換器室
１１  送風ファン
１２  ケーシング
１２ａ  吸込口
１２ｂ  吹出部
１２ｃ  吹出口
１３  回転ブレード
１４  ファンモータ
１５  熱交換器
１５ｂ  冷媒入出力管
１６  露受皿
１６ａ  主底面部
１６ｂ  副底面部
１６ｃ  底面
１６ｄ  底面
１６ｅ  主排出管
１６ｆ  副排出管
１７  吹出ダクト接続フランジ
１７ａ  螺子孔
１８  フィルタ
１９  電装品箱
１９ａ  制御基板
２０  遮水板
２０ａ  遮水部
２１  導水部
２１ａ  水平部
２１ｂ  斜面部
２１ｃ  排出部
２１ｄ  排出口
２１ｅ  フランジ
２１ｆ  配線通路
２１ｇ  防水カバー
２１ｈ  フック部
２２  電子膨張弁
２２ａ  配線
２３  ディストリビュータ
２４  センサ
２４ａ  配線
２５  クランパ
【図１】
2011185554.tif 000003
【図２】
2011185554.tif 000004
【図３】
2011185554.tif 000005
【図４】
2011185554.tif 000006
【図５】
2011185554.tif 000007
【図６】
2011185554.tif 000008
【図７】
2011185554.tif 000009
【図８】
2011185554.tif 000010
【図９】
2011185554.tif 000011
【図１０】
2011185554.tif 000012